(57)【要約】【課題】キャリッジの外側またはキャリッジの壁面にシャッターが配置される場合において、シャッターに対してミストや異物が付着しにくくすること。【解決手段】気流付与部６０と、メディアＭに液滴を吐出可能な記録ヘッド４０と、メディアＭの表面を撮像可能であり集光レンズ５２を有する撮像部５０と、気流付与部６０と記録ヘッド４０と撮像部５０とが搭載されるキャリッジ４６と、メディアＭを支持可能な支持面４５ａを有するプラテン４５と、を備え、撮像部５０は、集光レンズ５２が支持面４５ａに対して遮蔽される遮蔽状態と、集光レンズ５２が支持面４５ａに対して露出される露出状態とに切り替え可能なシャッター７０を含み、気流付与部６０は、シャッター７０のうち支持面４５ａに対向する面７０ａに沿った気流を付与することを特徴とする。【選択図】図２
2020069642.tif 000002
【特許請求の範囲】
【請求項１】
気流付与部と、
メディアに液滴を吐出可能な記録ヘッドと、
前記メディアの表面を撮像可能であり、集光レンズを有する撮像部と、
前記気流付与部と前記記録ヘッドと前記撮像部とが搭載されるキャリッジと、
前記メディアを支持可能な支持面を有する支持部と、
を備え、
前記撮像部は、前記集光レンズが前記支持面に対して遮蔽される遮蔽状態と、前記集光レンズが前記支持面に対して露出される露出状態とに切り替え可能なシャッターを含み、
前記気流付与部は、前記シャッターのうち前記支持面に対向する部分に沿った気流を付与することを特徴とする記録装置。
【請求項２】
請求項１に記載の記録装置であって、
前記撮像部は、前記シャッターをスライド可能に保持するシャッター保持部材を含み、
前記気流付与部は、前記シャッター保持部材を通る気流を付与することを特徴とする記録装置。
【請求項３】
請求項１または請求項２に記載の記録装置であって、
前記気流付与部は、気流を発生させる気流発生部を含み、
前記記録ヘッドにおける単位時間当たりの前記液滴の吐出量が増加するに従って、前記気流発生部の駆動量を増加させる制御部を備えることを特徴とする記録装置。
【請求項４】
請求項１から請求項３のいずれか一項に記載の記録装置であって、
前記気流付与部は、前記記録ヘッドに対して前記キャリッジが移動する走査方向に配置され、前記走査方向と直交する方向に気流を付与することを特徴とする記録装置。
【請求項５】
請求項１から請求項４のいずれか一項に記載の記録装置であって、
前記気流付与部は、ダクトを備え、
前記シャッターは、前記露出状態において前記ダクトの中に収納されることを特徴とする記録装置。
【請求項６】
請求項２から請求項５のいずれか一項に記載の記録装置であって、
前記シャッター保持部材は、前記シャッターと前記支持面との間に、前記シャッターを支持するシャッター支持部を有し、
前記シャッター支持部は、前記露出状態において前記集光レンズが露出される開口を構成し、
前記シャッターには、前記支持面側に突出するリブが、前記シャッター支持部と前記シャッターとが摺動する部分の近くに設けられ、
前記リブは前記開口の内側に配置されることを特徴とする記録装置。
【発明の詳細な説明】
【技術分野】
【０００１】
本発明は、記録装置に関する。
【背景技術】
【０００２】
例えば、走査のために走行するキャリッジ内の光学機器を効率的に冷却し、キャリッジ内に異物が侵入しにくくなる画像読み取り装置が提案されている（特許文献１参照）。
特許文献１に記載の画像読み取り装置は、キャリッジが、光源と、集光レンズと、ＣＣＤと、防塵フィルターが取り付けられた吸気口と、吸気口を介してキャリッジ内部に冷却風を送るファンとを備える。この構成により、ファンがキャリッジの内部に冷却風を送ることで、内部の集光レンズやＣＣＤ等の光学機器を効果的に冷却することができ、さらに防塵フィルターによってキャリッジ内に異物が侵入しにくくなる。
【先行技術文献】
【特許文献】
【０００３】
【特許文献１】特開２００８−１６０５７７号公報
【発明の概要】
【発明が解決しようとする課題】
【０００４】
ところが、特許文献１に記載の画像読み取り装置では、キャリッジの内部に配置される部材、すなわちキャリッジの内側に配置される部材に対する異物の付着を防止できるが、キャリッジの内側に配置されない部材に対しては、異物の付着を防止することが難しいという課題があった。例えば、光学機器への光の入射を制御するシャッターが、キャリッジの内側でなくキャリッジの壁面に設けられた場合、当該シャッターに対する異物の付着を防止することが難しくなる。
【課題を解決するための手段】
【０００５】
本願の記録装置は、気流付与部と、メディアに液滴を吐出可能な記録ヘッドと、前記メディアの表面を撮像可能であり、集光レンズを有する撮像部と、前記気流付与部と前記記録ヘッドと前記撮像部とが搭載されるキャリッジと、前記メディアを支持可能な支持面を有する支持部と、を備え、前記撮像部は、前記集光レンズが前記支持面に対して遮蔽される遮蔽状態と、前記集光レンズが前記支持面に対して露出される露出状態とに切り替え可能なシャッターを含み、前記気流付与部は、前記シャッターのうち前記支持面に対向する部分に沿った気流を付与することを特徴とする。
【０００６】
本願の記録装置では、前記撮像部は、前記シャッターをスライド可能に保持するシャッター保持部材を含み、前記気流付与部は、前記シャッター保持部材を通る気流を付与することが好ましい。
【０００７】
本願の記録装置では、前記気流付与部は、気流を発生させる気流発生部を含み、前記記録ヘッドにおける単位時間当たりの前記液滴の吐出量が増加するに従って、前記気流発生部の駆動量を増加させる制御部を備えることが好ましい。
【０００８】
本願の記録装置では、前記気流付与部は、前記記録ヘッドに対して前記キャリッジが移動する走査方向に配置され、前記走査方向と直交する方向に気流を付与することが好ましい。
【０００９】
本願の記録装置では、前記気流付与部は、ダクトを備え、前記シャッターは、前記露出状態において前記ダクトの中に収納されることが好ましい。
【００１０】
本願の記録装置では、前記シャッター保持部材は、前記シャッターと前記支持面との間に、前記シャッターを支持するシャッター支持部を有し、前記シャッター支持部は、前記露出状態において前記集光レンズが露出される開口を構成し、前記シャッターには、前記支持面側に突出するリブが、前記シャッター支持部と前記シャッターとが摺動する部分の近くに設けられ、前記リブは前記開口の内側に配置されることが好ましい。
【図面の簡単な説明】
【００１１】
【図１】実施形態１に係る記録装置の構成を示す断面図。
【図２】図１の破線で囲まれた領域Ａの断面図。
【図３】実施形態１に係る記録装置の電気的構成を示すブロック図。
【図４】キャリッジ及びキャリッジに搭載される構成要素の状態を示す斜視図。
【図５】図４のＢ−Ｂに沿ったシャッター及びシャッター保持部材の断面図。
【図６】排気ファンを駆動した場合の気流の状態を示す拡大断面図。
【図７】実施形態２に係る記録装置の構成を示すメディアが搬送される方向に沿った断面図。
【図８】メディアが搬送される方向と直交する方向に沿った要部断面図。
【発明を実施するための形態】
【００１２】
以下、図面を参照して、本発明の実施形態について説明する。かかる実施形態は、本発明の一態様を示すものであり、この発明を限定するものではなく、本発明の技術的思想の範囲内で任意に変更可能である。また、以下の各図においては、各層や各部位を図面上で認識可能な程度の大きさとするため、各層や各部位の縮尺を実際とは異ならせている。
【００１３】
（実施形態１）
図１は、実施形態１に係る記録装置１０の構成を示す断面図である。図２は、図１の破線で囲まれた領域Ａの断面図であり、記録部４の構成を示す断面図である。図３は、本実施形態に係る記録装置１０の電気的構成を示すブロック図である。
なお、図１は、メディアＭが搬送される方向に沿った断面図である。図２は、メディアＭが搬送される方向と直交する方向に沿った要部断面図である。図２では、遮蔽状態におけるシャッター７０が実線で図示され、露出状態におけるシャッター７０が破線で図示されている。
最初に、図１〜図３を参照し、本実施形態に係る記録装置１０の概要を説明する。
【００１４】
図１及び図２に示すように、本実施形態に係る記録装置１０は、長尺のメディアＭを扱うラージフォーマットプリンター（ＬＦＰ）である。記録装置１０は、脚部１１と、脚部１１に支持された筐体部１２と、筐体部１２の両端に取り付けられたセット部２０及び巻取部２５と、筐体部１２の一方の端に取付けられた操作部１７とを備えている。
メディアＭとしては、例えば、上質紙、キャスト紙、アート紙、コート紙、合成紙、及びＰＥＴ（Polyethylene terephthalate）やＰＰ（Polypropylene）などから成るフィルムなどを使用することができる。
【００１５】
筐体部１２の内部には、メディアＭを搬送する搬送部３０と、記録部４と、記録装置１０の各部を制御する制御部８と、媒体支持部２２とが設けられている。
以降の説明では、メディアＭが搬送される方向を＋Ｙ方向とし、搬送方向Ｙと称す。搬送方向Ｙに直交する方向をＸ方向とする。Ｘ方向及び搬送方向Ｙに直交し、記録装置１０の高さ方向をＺ方向とする。また、図中に方向を示す矢印の先端側を＋方向とし、方向を示す矢印の基端側を−方向とする。
なお、＋Ｘ方向及び−Ｘ方向は、本願におけるキャリッジが移動する走査方向の一例であり、以降、走査方向Ｘと称す。また、＋Ｙ方向及び−Ｙ方向は、本願におけるキャリッジが移動する走査方向と直交する方向の一例である。
また、−Ｚ方向は重力方向である。
【００１６】
メディアＭは、セット部２０に収納されたロール体Ｒから巻き解かれ、給送口１３から筐体部１２の内部に給送される。セット部２０から給送されるメディアＭは、媒体支持部２２によって支持され、搬送部３０に案内される。搬送部３０に案内されたメディアＭは、搬送部３０によって記録部４に向けて搬送される。そして、メディアＭは、記録部４で印刷された後に、排出口１５から筐体部１２の外に排出され、巻取部２５によってロール状に巻き取られる。
なお、メディアＭは、ロール紙でなく単票紙であってもよい。
【００１７】
搬送部３０は、記録部４に対して搬送方向Ｙの上流側に配置され、駆動ローラー３１と従動ローラー３２とを有している。従動ローラー３２は、メディアＭを介して駆動ローラー３１に圧接され、従動回転する。駆動ローラー３１は、従動ローラー３２との間でメディアＭを挟持する。不図示のモーターによって駆動ローラー３１が回転駆動することにより、メディアＭが搬送方向Ｙに搬送される。
操作部１７は、例えば、タッチパネルを有する液晶表示装置で構成される。ユーザーは、操作部１７によって、記録装置１０に対して各種設定を行うことができる。
【００１８】
記録部４には、気流付与部６０と、メディアＭに液滴を吐出可能な記録ヘッド４０と、メディアＭの表面を撮像する撮像部５０と、キャリッジ４６と、メディアＭを支持する支持面４５ａを有するプラテン４５と、ガイド軸４７とが配置される。
ガイド軸４７は、走査方向Ｘに延在する部材である。キャリッジ４６は、ガイド軸４７によって支持され、ガイド軸４７が延在する走査方向Ｘに移動可能である。
なお、プラテン４５は、本願におけるメディアを支持可能な支持面を有する支持部の一例である。
【００１９】
キャリッジ４６には、記録ヘッド４０と撮像部５０と気流付与部６０とが搭載され、それぞれキャリッジ４６と一緒に走査方向Ｘに移動可能である。記録ヘッド４０と撮像部５０とは、メディアＭに対向するように配置される。
気流付与部６０と撮像部５０と記録ヘッド４０とは、走査方向Ｘのうち＋Ｘ方向に沿って順に配置される。撮像部５０は、気流付与部６０の近くに配置され、走査方向Ｘにおいて記録ヘッド４０から離間している。
【００２０】
記録ヘッド４０は、不図示の共通液室、不図示の圧力発生室、不図示の圧電素子、ノズル４３などを有する。ノズル４３は、記録ヘッド４０のメディアＭに対向する面に設けられ、メディアＭに対向配置される。圧電素子は、撓み振動モードの圧電アクチュエーター、または縦振動モードの圧電アクチュエーターである。記録ヘッド４０では、共通液室を経て圧力発生室にインクが供給された状態で、圧電素子が圧力発生室の一部を形成する振動板を振動させ、圧力発生室に圧力変動を生じさせ、この圧力変動を利用することで、ノズル４３からメディアＭに対してインクが液滴として吐出される。
本実施形態では、シアン（Ｃ）のインクを液滴として吐出する記録ヘッド４０Ｃと、マゼンタ（Ｍ）のインクを液滴として吐出する記録ヘッド４０Ｍと、イエロー（Ｙ）のインクを液滴として吐出する記録ヘッド４０Ｙと、ブラック（Ｋ）のインクを液滴として吐出する記録ヘッド４０Ｋとが、走査方向Ｘのうち＋Ｘ方向に沿って順に配置される。すなわち、記録装置１０は４個の記録ヘッド４０を有する。
なお、記録装置１０が有する記録ヘッド４０の数は、４個より少なくてもよいし、４個より多くてもよい。
【００２１】
シャッター保持部材５５は、キャリッジ４６に対して−Ｚ方向に位置し、メディアＭに対向配置される。シャッター保持部材５５には、開口５８と、走査方向Ｘに沿って配置される７個のヘッド装着部５９とが設けられている。さらに、シャッター保持部材５５の開口５８は、シャッター７０とプラテン４５の支持面４５ａとの間に形成される。
ヘッド装着部５９は、開口５８に対して＋Ｘ方向に位置し、シャッター保持部材５５を貫く孔である。７個のヘッド装着部５９には、４個の記録ヘッド４０Ｃ，４０Ｍ，４０Ｙ，４０Ｋと、図中に破線で図示される３個のダミーヘッド４１とが嵌め込まれ、記録ヘッド４０及びダミーヘッド４１がシャッター保持部材５５を介してキャリッジ４６に固定される。
【００２２】
撮像部５０は、筐体５１と、集光レンズ５２と、撮像素子５３と、光源５４と、シャッター保持部材５５と、シャッター７０とを有する。集光レンズ５２と、撮像素子５３と、光源５４とは、キャリッジ４６の内側に配置され、筐体５１の中に配置される。メディアＭに近い側から、集光レンズ５２と、撮像素子５３及び光源５４とが順に配置される。シャッター保持部材５５の開口５８は、集光レンズ５２と支持部４５の支持面４５ａとの間に形成されている。
撮像素子５３には、ＣＣＤ（Charge Coupled Device）、ＣＭＯＳ（Complementary Metal Oxide Semiconductor）イメージセンサーなどの光を電気信号に変換する素子を使用することができる。光源５４には、ＬＥＤ（Light Emitting Diode）やハロゲンランプなどを使用することができる。
光源５４で発せられた光は、集光レンズ５２と、開口５８とを経て、メディアＭに照射される。メディアＭにはテストパターンが形成されており、メディアＭのテストパターンに照射された光の反射光が、開口５８と、集光レンズ５２とを経て、撮像素子５３に入射する。集光レンズ５２は、メディアＭから反射された光を集光し、撮像素子５３において像を形成する。そして、撮像素子５３は、メディアＭのテストパターンで反射された反射光に基づく信号を、制御部８に出力する。
【００２３】
シャッター７０は、集光レンズ５２と支持部４５の支持面４５ａとの間に位置し、スライド可能にシャッター保持部材５５に保持されている。すなわち、撮像部５０は、シャッター７０をスライド可能に保持するシャッター保持部材５５を有する。
シャッター７０は、プラテン４５の支持面４５ａに対向する面７０ａを有する。シャッター７０のプラテン４５の支持面４５ａに対向する面７０ａは、シャッター７０の本体に対して、集光レンズ５２と反対側に配置される。すなわち、シャッター７０のプラテン４５の支持面４５ａに対向する面７０ａは、キャリッジ４６の内側に配置されない。
なお、シャッター７０のプラテン４５の支持面４５ａに対向する面７０ａは、本願におけるシャッターのうち支持面に対向する部分の一例であり、以降、シャッター７０の面７０ａと称す。
【００２４】
記録ヘッド４０からインクが吐出される場合、または、撮像素子５３がメディアＭのテストパターンを撮像しない場合、シャッター７０は、図２に実線で示されるように、シャッター保持部材５５の開口５８を塞ぐように配置され、集光レンズ５２をプラテン４５の支持面４５ａに対して遮蔽する。なお、シャッター７０が図２に実線で示される位置に配置される場合の撮像部５０の状態は、集光レンズ５２がプラテン４５の支持面４５ａに対して遮蔽される遮蔽状態である。
以降の説明では、シャッター７０が図２に実線で示される位置に配置される場合の撮像部５０の状態を、遮蔽状態と称す。すなわち、撮像部５０が遮蔽状態にある場合、シャッター７０は、図２に実線で示される位置に配置され、集光レンズ５２がプラテン４５の支持面４５ａに対して遮蔽される。
記録ヘッド４０からインクが吐出される場合、または、撮像素子５３がメディアＭのテストパターンを撮像しない場合、撮像部５０は遮蔽状態にあり、集光レンズ５２はシャッター７０によって保護され、気中に浮遊するミストや異物が集光レンズ５２に付着しにくくなる。
【００２５】
記録ヘッド４０からインクが吐出されず、撮像素子５３がメディアＭのテストパターンを撮像する場合、シャッター７０は、図２に破線で示されるように、シャッター保持部材５５の開口５８を開放するように配置され、集光レンズ５２をプラテン４５の支持面４５ａに対して露出する。なお、シャッター７０が図２に破線で示される位置に配置される場合の撮像部５０の状態は、集光レンズ５２がプラテン４５の支持面４５ａに対して露出される露出状態である。
以降の説明では、シャッター７０が図２に破線で示される位置に配置される場合の撮像部５０の状態を、露出状態と称す。すなわち、撮像部５０が露出状態にある場合、シャッター７０は、図２に破線で示される位置に配置され、集光レンズ５２がプラテン４５の支持面４５ａに対して露出される。
このように、撮像部５０は、撮像部５０を遮蔽状態または露出状態に切り替え可能なシャッター７０を有する。さらに、シャッター保持部材５５には、シャッター７０とプラテン４５の支持面４５ａとの間に、露出状態において集光レンズ５２が露出される開口５８が形成されている。
【００２６】
気流付与部６０は、ダクト６２と、排気ファン６３とを有する。排気ファン６３は、ダクト６２に対して−Ｘ方向に位置する。ダクト６２は、排気ファン６３と、撮像部５０が遮蔽状態にある場合のシャッター７０との間に位置する。ダクト６２の＋Ｘ方向の端は、気体が吸い込まれる吸込み口６２ａである。
撮像部５０が遮蔽状態にある場合、シャッター７０は、ダクト６２の外側に位置し、ダクト６２の吸込み口６２ａの近くに配置される。撮像部５０が露出状態にある場合、シャッター７０は、ダクト６２の中に収納される。撮像部５０が露出状態にある場合、シャッター７０は、ダクト６２の中に収納されると、ダクト６２の中に収納されない場合と比べて、撮像部５０及び気流付与部６０をコンパクトに配置することができる。
排気ファン６３の−Ｘ方向の端は、気体が排出される排出口６３ａである。気流付与部６０では、排気ファン６３が駆動すると、シャッター７０の面７０ａの近くの気体は、ダクト６２の吸込み口６２ａから吸い込まれ、排気ファン６３の排出口６３ａから排出される。
なお、排気ファン６３は、本願における気流発生部の一例である。
【００２７】
図３に示すように、本実施形態に係る記録装置１０は、制御部８と、搬送系駆動部８２と、キャリッジ駆動部８３と、ヘッド駆動部８４と、排気ファン駆動部８５と、シャッター駆動部８６と、通信部８８と、操作部１７と、撮像部５０とを有する。
制御部８は、中央処理装置としての論理演算機能を有し、記憶部８１を有する。制御部８は、メディアＭの搬送やメディアＭに対する印刷などの処理が実行されるために必要な各種論理演算を行うと共に、その論理演算において使用される各種情報の読み出し及び書き込みを行う。
記憶部８１は、所定の情報を読み出し可能に記憶するＲＯＭ及び各種の情報を書き込み／読み出し可能に記憶するＲＡＭ等で構成される。記憶部８１には、記録装置１０を制御するために用いられる各種プログラムが記憶されている。さらに、記憶部８１には、制御部８の論理演算結果が読み出し可能に記憶される。
【００２８】
制御部８は、操作部１７と接続され、操作部１７に入力された情報を受け付け可能である。制御部８は、通信部８８を介して外部機器２に接続可能である。外部機器２は、例えばパーソナルコンピューターであり、例えばユーザーが携帯可能な携帯型情報機器である。
【００２９】
制御部８には、搬送部３０を駆動する電動モーター等の搬送系駆動部８２と、キャリッジ４６を駆動する電動モーター等のキャリッジ駆動部８３と、記録ヘッド４０を駆動するヘッド駆動部８４と、排気ファン６３を駆動する電動モーター等の排気ファン駆動部８５と、シャッター７０をスライドさせる電動モーター等のシャッター駆動部８６とが接続されている。
搬送系駆動部８２は、制御部８の制御に基づき、搬送部３０の駆動ローラー３１を回転させたり、その回転を停止させたりする。キャリッジ駆動部８３は、制御部８の制御に基づき、プーリーや無端状ベルトを介して駆動連結されたキャリッジ４６をガイド軸４７に沿って移動させたり、その移動を停止させたりする。ヘッド駆動部８４は、制御部８の制御に基づき、記録ヘッド４０がインクを液滴として吐出する際に駆動される圧電素子等に対して電圧を印加したり、電圧の印加を停止したりする。
すなわち、制御部８は、操作部１７から入力される印刷情報や外部機器２からの印刷情報に基づき、メディアＭに所望の画像が印刷されるように、搬送系駆動部８２とキャリッジ駆動部８３とヘッド駆動部８４とを制御する。
【００３０】
排気ファン駆動部８５は、制御部８の制御に基づき、排気ファン６３を駆動させたり、排気ファン６３の駆動を停止させたりする。さらに、制御部８は、記録ヘッド４０における単位時間当たりの液滴の吐出量が増加するに従って、排気ファン駆動部８５の駆動量を増加させ、排気ファン６３の駆動量を増加させる。
【００３１】
制御部８には、撮像部５０の撮像素子５３及び光源５４が接続され、撮像素子５３が撮像する際に光源５４を点灯し、撮像素子５３の撮像が終了すると、光源５４を消灯する。
仮に、記録ヘッド４０の機械誤差によって、ノズル４３から吐出されるインクが、メディアＭの目標位置に着弾せず、メディアＭの目標位置にドットが形成されないと、メディアＭに形成される画像の画質が劣化してしまう。このため、制御部８は、メディアＭの目標位置にドットが形成されるように、ドットの位置調整を実施する。
【００３２】
詳しくは、ドットの位置調整では、記録ヘッド４０からメディアＭにインクが吐出され、ドットの位置調整をするためのテストパターンが、メディアＭに形成される。ドットの位置調整を実施するためのテストパターンは、例えば、ドットの位置ずれが濃度差となるチャートである。撮像部５０の撮像素子５３は、メディアＭに形成されるドットの位置調整を実施するためのテストパターンを撮像する。制御部８は、撮像素子５３が撮像した撮像データからドットの位置ずれを最小にする補正値を算出し、当該補正値からドットの位置調整を実施する。補正値は、例えばインクの吐出タイミングに関する補正値である。
【００３３】
かかる構成によって、本実施形態に係る記録装置１０は、走査方向Ｘに移動しながら記録ヘッド４０がインクを液滴としてメディアＭに吐出する動作と、搬送部３０がメディアＭを搬送方向Ｙに搬送する動作とを交互に繰り返し、メディアＭに所望の画像を印刷する。
【００３４】
図４は、キャリッジ４６及びキャリッジ４６に搭載される構成要素の状態を示す斜視図である。すなわち、図４は、シャッター保持部材５５を目視可能な方向から見た図であり、キャリッジ４６に搭載される気流付与部６０と遮蔽状態にある撮像部５０とが図示されている。図５は、図４のＢ−Ｂに沿ったシャッター７０及びシャッター保持部材５５の断面図であり、シャッター７０及びシャッター保持部材５５以外の構成要素の図示が省略されている。
また、図４では、シャッター７０に設けられたリブ７１が破線で図示されている。図５では、シャッター７０に網掛けが施され、プラテン４５が二点鎖線で図示されている。
次に、図４及び図５を参照し、シャッター保持部材５５及びシャッター７０の状態を説明する。
【００３５】
図５に示すように、シャッター保持部材５５に開口５８が形成された部分において、シャッター保持部材５５は、第１部材５５１と、第１部材５５１に対して−Ｚ方向（重力方向）に配置される第２部材５５２と、第１部材５５１と第２部材５５２との間に配置される第３部材５５３とで構成される。
開口５８は、第１部材５５１と第２部材５５２と第３部材５５３とによって構成される。走査方向Ｘから見て、開口５８のＹ方向の幅は第３部材５５３で広くなり、第１部材５５１及び第２部材５５２で狭くなる。これにより、第１部材５５１及び第２部材５５２は第３部材５５３から張り出すと共に、Ｚ方向において第１部材５５１と第２部材５５２との間に隙間が形成される。第１部材５５１と第２部材５５２との間のＺ方向における隙間の大きさは、シャッター７０のＺ方向における厚さよりも大きい。また、第３部材５５３のＹ方向の隙間の大きさは、シャッター７０のＹ方向における幅よりも大きい。
なお、第２部材５５２に設けられる開口５８は、集光レンズが露出される開口の一例である。
【００３６】
シャッター７０のＹ方向の端部は、第１部材５５１と第２部材５５２との間の隙間に配置される。シャッター７０のＹ方向の端部が第１部材５５１と第２部材５５２との間のＺ方向における隙間に配置される状態において、シャッター７０は、第２部材５５２の第３部材５５３から張り出した部分５５２Ａに接し、第２部材５５２の第３部材５５３から張り出した部分５５２Ａによって支持される。さらに、シャッター７０は、第１部材５５１及び第３部材５５３から離間する。
そして、シャッター７０は、第２部材５５２の第３部材５５３から張り出した部分５５２Ａと接する部分において、第２部材５５２に対して摺動しながら走査方向Ｘにスライド可能になる。
なお、第２部材５５２の第３部材５５３から張り出した部分５５２Ａは、本願におけるシャッター支持部の一例であり、以降、第２部材５５２の部分５５２Ａと称す。さらに、第２部材５５２の部分５５２Ａとシャッター７０とが接する部分は、本願におけるシャッター支持部とシャッターとが摺動する部分の一例であり、以降、シャッター７０が摺動する部分５５２Ｂと称す。
【００３７】
また、便宜上シャッター保持部材５５を複数の部材（第１部材５５１、第２部材５５２、第３部材５５３）に分けて説明したが、シャッター保持部材５５は、例えば、樹脂を原材料とする成型加工などの方法によって、一体形成されている。一体形成されたシャッター保持部材５５において、−Ｚ方向に配置されるシャッター７０が支持されるように張り出した部分が第２部材５５２の部分５５２Ａであり、本願におけるシャッター支持部になる。さらに、−Ｚ方向に配置されシャッター保持部材５５の張り出した部分（第２部材５５２の部分５５２Ａ）において、シャッター７０が接する部分が、シャッター７０が摺動する部分５５２Ｂであり、本願におけるシャッター支持部とシャッターとが摺動する部分になる。
このように、シャッター保持部材５５は、シャッター７０とプラテン４５の支持面４５ａとの間に、露出状態において集光レンズ５２が露出される開口５８が形成され、シャッター７０を支持する第２部材５５２の部分５５２Ａを有する。換言すれば、シャッター７０を支持する第２部材５５２の部分５５２Ａは、露出状態において集光レンズ５２が露出される開口５８を構成する。
さらに、シャッター７０が走査方向Ｘにスライドすることによって、撮像部５０は、集光レンズ５２が露出される撮像部５０の露出状態と、集光レンズが遮蔽される遮蔽状態とに切り替わる。
【００３８】
図４及び図５に示すように、シャッター７０には、プラテン４５の支持面４５ａ側に突出するリブ７１が設けられている。リブ７１は、シャッター７０が摺動する部分５５２Ｂの近くに設けられ、第２部材５５２に設けられる開口５８の内側に配置される。リブ７１を開口５８の内側に設けると、シャッター７０が摺動する部分５５２Ｂにおけるシャッター７０の摺動が阻害されず、シャッター７０は走査方向Ｘにスライド可能となる。
なお、ダクト６２の吸込み口６２ａの近くにリブ７１が設けられると、気体が当該リブ７１によって吸込み口６２ａから吸い込まれにくくなるので、リブ７１は、ダクト６２の吸込み口６２ａの近くに設けられていない。リブ７１は、図４に破線で図示されるように、Ｕ字形状を有する。すなわち、リブ７１は、走査方向に延在する一対の部分７１Ａ，７１Ｃと、一対の部分７１Ａ，７１Ｃの間に配置されるＹ方向に延在する部分７１Ｂとを有する。
このように、シャッター７０には、第２部材５５２の開口５８の内側に配置され、支持面４５ａ側に突出するリブ７１が、シャッター７０が摺動する部分５５２Ｂの近くに設けられている。
【００３９】
図６は、図２に対応する図であり、排気ファン６３を駆動した場合の気流の状態を示す拡大断面図である。図６では、撮像部５０が遮蔽状態にある場合において、気流付与部６０及びシャッター７０が配置される部分が、拡大された状態で図示されている。さらに、図６では、排気ファン６３を駆動した場合に生じる気流が実線の矢印で図示され、排気ファン６３を駆動した場合に生じにくくなる気流が破線の矢印で図示されている。
【００４０】
記録ヘッド４０がノズル４３からインクをメディアＭに吐出する場合、ノズル４３から吐出されるインクの一部はミストとなり、気中に浮遊する。気中に浮遊するミストは、記録ヘッド４０のノズル４３が形成される面に付着する。例えば、メディアＭの反りなどによって、メディアＭが記録ヘッド４０のノズル４３が形成される面に接触すると、記録ヘッド４０のノズル４３が形成される面に付着したミストがメディアＭに転写され、メディアＭが汚染される。さらに、記録ヘッド４０のノズル４３が形成される面に付着するミストによって、ノズル４３が閉塞されるおそれがある。
このため、記録装置１０では、記録ヘッド４０のノズル４３が形成される面に付着するミストを取り除くクリーニング処理が、定期的に実施される。
【００４１】
記録装置１０では、気中に浮遊するミストがシャッター７０の面７０ａに付着するおそれがある。加えて、気中に浮遊するミストが、第２部材５５２の部分５５２Ａ及びシャッター７０が摺動する部分５５２Ｂに付着するおそれがある。
例えば、メディアＭの反りなどによって、メディアＭがシャッター７０の面７０ａに接触すると、シャッター７０の面７０ａに付着したミストがメディアＭに転写され、メディアＭが汚染される。さらに、気中に浮遊するミストが、シャッター７０が摺動する部分５５２Ｂに付着すると、シャッター７０の走査方向Ｘへの移動が阻害され、シャッター７０が走査方向Ｘにスライドしにくくなる。
【００４２】
シャッター７０は撮像部５０の中に組み込まれており、シャッター７０の面７０ａに付着したミストや、シャッター７０が摺動する部分５５２Ｂに付着したミストを取り除くためには、撮像部５０を分解する必要がある。すなわち、撮像部５０を分解し、シャッター７０の面７０ａに付着したミストや、シャッター７０が摺動する部分５５２Ｂに付着したミストを取り除いた後に、撮像部５０やシャッター７０を元の状態に復元する必要がある。
ところが、撮像部５０は、集光レンズ５２や撮像素子５３や光源５４などが組み込まれた精密部品であるので、作業に習熟したサービスマンが、撮像部５０を分解し、撮像部５０を元の状態に復元する必要がある。このため、作業に習熟していない作業者が、撮像部５０を分解し、撮像部５０を元の状態に復元することが難しい。加えて、作業に習熟したサービスマンであっても、撮像部５０を分解し、撮像部５０及びシャッター７０を元の状態に復元するためには長時間必要になる。
このため、シャッター７０の面７０ａに付着したミストや、シャッター７０が摺動する部分５５２Ｂに付着したミストを取り除くためには、多大な時間と経費が必要になる。
【００４３】
本実施形態に係る記録装置１０は、シャッター７０の面７０ａ及びシャッター７０が摺動する部分５５２Ｂにミストが付着しにくくなり、シャッター７０の面７０ａに付着したミストや、シャッター７０が摺動する部分５５２Ｂに付着したミストを取り除くクリーニング処理を頻繁に実施しなくてもよくなるという優れた特長を有するので、以下にその詳細を説明する。
【００４４】
本実施形態に係る記録装置１０では、撮像部５０の近くに気流付与部６０が設けられている。このため、気流付与部６０の排気ファン６３が駆動されると、シャッター７０の近くの気体が、ダクト６２の吸込み口から吸いこまれ、排気ファン６３の排出口６３ａから排出される。すると、図６に実線の矢印で示されるように、シャッター７０の面７０ａに沿った気流が発生する。すなわち、気流付与部６０は、シャッターの面７０ａに沿った気流を付与する。
例えば、シャッター７０の面７０ａが凹凸を有する場合であっても、排気ファン６３を駆動することによって生じる気流が、シャッター７０の面７０ａに対して平行なＸＹ平面に沿って進行する成分を含む場合、当該気流は、本願におけるシャッターのうち支持面に対向する部分に沿った気流に該当する。
【００４５】
例えば、シャッター保持部材５５が凹凸を有し、排気ファン６３を駆動することによって生じる気流が、シャッター保持部材５５に対して平行なＸＹ平面に沿って進行する成分を含む場合、当該気流は、本願におけるシャッター保持部材を通る気流に該当する。
シャッター保持部材５５に対して平行なＸＹ平面に沿って進行する成分を含む気流は、シャッター７０の面７０ａに対して平行なＸＹ平面に沿って進行する成分を含む気流になるので、本実施形態では、気流付与部６０がシャッター保持部材５５を通る気流を付与することと、気流付与部６０がシャッターの面７０ａに沿った気流を付与することとは、同等である。
すなわち、気流付与部６０は、シャッターの面７０ａに沿った気流を付与し、シャッター保持部材５５を通る気流を付与する。
【００４６】
仮に、図６に破線の矢印で示されるように、シャッター７０の面７０ａに向かう気流が発生すると、気中に浮遊するミストは、シャッター７０の面７０ａに向かう気流によって運ばれ、シャッター７０の面７０ａに付着しやすくなる。
本実施形態では、図６に実線の矢印で示されるシャッター７０の面７０ａに沿った気流が発生するので、気中に浮遊するミストは、シャッター７０の面７０ａに沿った気流によって運ばれ、ダクト６２の吸込み口６２ａからダクト６２の中に吸い込まれ、排気ファン６３の排出口６３ａから排出される。この場合、気中に浮遊するミストは、ダクト６２の吸込み口６２ａに向けて移動しやすく、シャッター７０の面７０ａに向けて移動しにくいので、ミストがシャッター７０の面７０ａに向けて移動する場合と比べて、シャッター７０の面７０ａに付着しにくくなる。さらに、シャッター７０が摺動する部分５５２Ｂに対しても、ミストが付着しにくくなる。
【００４７】
図６に実線の矢印で示される気流は、シャッター７０の面７０ａに対して平行な気流と、シャッター保持部材５５を通る気流とを含む。このため、排気ファン６３を駆動することによって生じる気流は、本願におけるシャッターのうち支持面に対向する部分に沿った気流に該当し、本願におけるシャッター保持部材を通る気流に該当する。
図６に破線の矢印で示される気流は、シャッター７０の面７０ａに衝突し、シャッター７０の面７０ａによって進行が阻害される。シャッター７０の面７０ａによって進行が阻害される気流は、本願におけるシャッターのうち支持面に対向する部分に沿った気流に該当せず、本願におけるシャッター保持部材を通る気流に該当しない。
なお、排気ファン６３を駆動することによって生じる気流が、図６に実線の矢印で示される気流に加えて、図６に破線の矢印で示される気流を含む場合、当該気流は、本願におけるシャッターのうち支持面に対向する部分に沿った気流に該当し、本願におけるシャッター保持部材を通る気流に該当する。
【００４８】
本実施形態では、排気ファン６３を駆動することによって、シャッター７０の面７０ａに沿った気流が発生しやすくなり、シャッター７０の面７０ａによって進行が阻害される気流が発生しにくくなる。その結果、気中に浮遊するミストは、シャッター７０の面７０ａに沿って移動しやすくなり、シャッター７０の面７０ａに付着しにくくなる。さらに、シャッター７０が摺動する部分５５２Ｂに対しても、ミストが付着しにくくなる。従って、シャッター７０の面７０ａ及びシャッター７０が摺動する部分５５２Ｂは、気中に浮遊するミストによって汚染されにくくなる。
さらに、気中に浮遊する紙粉や環境異物なども、気中に浮遊するミストと同様に、シャッター７０の面７０ａ及びシャッター７０が摺動する部分５５２Ｂに付着しにくくなる。その結果、シャッター７０の面７０ａ及びシャッター７０が摺動する部分５５２Ｂは、清浄な状態を維持しやすくなる。
【００４９】
記録装置１０では、記録ヘッド４０がインクを液滴としてメディアＭに吐出する場合、液滴の吐出量はメディアＭに形成される画像によって変化する。例えば、メディアＭに淡い画像が形成される場合に液滴の吐出量が少なくなり、メディアＭに濃い画像が形成される場合に液滴の吐出量が多くなる。
ところが、記録ヘッド４０から吐出される液滴の吐出量が多くなると、液滴の吐出量が少ない場合と比べて、気中に浮遊するミストの量が多くなるので、気中に浮遊するミストの量が少ない場合と比べて、ミストがシャッター７０の面７０ａやシャッター７０が摺動する部分５５２Ｂに付着しやすくなる。
【００５０】
このため、本実施形態では、制御部８は、記録ヘッド４０における単位時間当たりの液滴の吐出量が増加するに従って、排気ファン駆動部８５の駆動量を増加させ、排気ファン６３の駆動量を増加させる。すなわち、記録ヘッド４０における単位時間当たりの液滴の吐出量が増加すると、排気ファン６３の駆動量を増加させ、シャッター７０の面７０ａに沿った気流の流速を速くする。シャッター７０の面７０ａに沿った気流の流速が速くなると、シャッター７０の面７０ａに沿った気流の流速が遅い場合と比べて、ミストがシャッター７０の面７０ａやシャッター７０が摺動する部分５５２Ｂに付着しにくくなる。
その結果、記録ヘッド４０における単位時間当たりの液滴の吐出量が増加し、気中に浮遊するミストの量が多くなる場合であっても、気中に浮遊するミストの量が少ない場合と同様に、ミストがシャッター７０の面７０ａやシャッター７０が摺動する部分５５２Ｂに付着しにくくなる。
【００５１】
ところが、排気ファン駆動部８５の駆動量を増加させすぎ、排気ファン６３の駆動量を増加しすぎると、シャッター７０の近くの気流に加えて、記録ヘッド４０の周辺の気流も変化するので、記録ヘッド４０から吐出される液滴のメディアＭへの着弾位置が変化するおそれがある。記録ヘッド４０から吐出される液滴のメディアＭへの着弾位置が変化すると、メディアＭに形成される画像の品質が悪くなるので、記録ヘッド４０から吐出される液滴のメディアＭへの着弾位置が変化しない範囲で、排気ファン６３の駆動量を増加させることが好ましい。
本実施形態では、記録ヘッド４０から液滴が吐出される場合、及び記録ヘッド４０から液滴が吐出されない場合の両方で、排気ファン６３を駆動し、気中に浮遊するミストや異物を、シャッター７０の面７０ａ及びシャッター７０が摺動する部分５５２Ｂに付着しにくくしている。なお、記録ヘッド４０から液滴が吐出される場合に排気ファン６３を駆動し、気中に浮遊するミストや異物を、シャッター７０の面７０ａ及びシャッター７０が摺動する部分５５２Ｂに付着しにくくしてもよい。
【００５２】
本実施形態に係る記録装置１０では、図５及び図６に示すように、シャッター７０が摺動する部分５５２Ｂの近くにリブ７１が設けられている。
気中に浮遊するミストは、第２部材５５２の部分５５２Ａとリブ７１との間のＹ方向における隙間を経由して、シャッター７０が摺動する部分５５２Ｂに移動し、シャッター７０が摺動する部分５５２Ｂに付着する。すなわち、第２部材５５２の部分５５２Ａとリブ７１との間の隙間は、ミストの流路になる。第２部材５５２の部分５５２ＡのＺ方向に平行な壁部とリブ７１との間のＹ方向における隙間は、例えば０．１ｍｍ〜０．４ｍｍである。
シャッター７０が摺動する部分５５２Ｂの近くにリブ７１を設けると、リブ７１を設けない場合と比べて、ミストの流路が狭くなるので、シャッター７０が摺動する部分５５２Ｂにミストが付着しにくくなる。
【００５３】
以上述べたように、本実施形態に係る記録装置１０では、撮像部５０の近くに気流付与部６０を設け、シャッター７０が摺動する部分５５２Ｂの近くにリブ７１を設けることによって、記録ヘッド４０から液滴がメディアＭに吐出され、気中にミストが浮遊する場合に、当該ミストがシャッター７０の面７０ａやシャッター７０が摺動する部分５５２Ｂに付着しにくくなる。
すると、シャッター７０の面７０ａに付着したミストや、シャッター７０が摺動する部分５５２Ｂに付着したミストを取り除くクリーニング処理の頻度が少なくなり、当該クリーニング処理に起因するダウンタイムが短くなり、記録装置１０の生産性を高めることができる。
さらに、シャッター７０が摺動する部分５５２Ｂにミストが付着しにくくなると、シャッター７０は走査方向Ｘにスライドし難くなることを抑制するという効果を得ることができる。
【００５４】
一方、メディアＭの反りやジャムなどによって、シャッター７０が摺動する部分５５２ＢにメディアＭが侵入すると、シャッター７０が走査方向Ｘにスライドしにくくなる。シャッター７０が摺動する部分５５２Ｂの近くにリブ７１を設けると、シャッター７０が摺動する部分５５２ＢにメディアＭが侵入しにくくなるので、シャッター７０が走査方向Ｘにスライドしやすくなる。
すなわち、シャッター７０が摺動する部分５５２Ｂの近くに設けられるリブ７１は、ミストの付着という不具合に加えて、メディアＭの侵入という別の不具合を抑制することができる。その結果、シャッター７０は、安定して走査方向Ｘにスライドするようになる。
なお、第２部材５５２の部分５５２Ａとリブ７１との間のＹ方向における隙間の大きさは、使用されるメディアＭのＺ方向における厚さを考慮して設計してもよい。例えば、使用されるメディアＭのうち、最も厚さの小さいメディアＭの種類に合わせて、第２部材５５２の部分５５２Ａとリブ７１との間の隙間の大きさを設計してもよい。これにより、メディアＭの侵入という別の不具合を更に効果的に抑制できる。
【００５５】
（実施形態２）
図７は、図１に対応する図であり、実施形態２に係る記録装置１０Ａの構成を示すメディアＭが搬送される方向に沿った断面図である。図８は、図２に対応する図であり、メディアＭが搬送される方向と直交する方向に沿った要部断面図である。
なお、図２と図８とではＸ方向及びＹ方向の向きが異なる。詳しくは、図２では、紙面の表面から裏面に向かう方向が＋Ｙ方向であり、紙面の左側から右側に向かう方向が＋Ｘ方向である。図８では、紙面の裏面から表面に向かう方向が＋Ｙ方向であり、紙面の右側から左側に向かう方向が＋Ｘ方向である。
【００５６】
本実施形態に係る記録装置１０Ａと、実施形態１に係る記録装置１０とでは、撮像部５０及び気流付与部６０の配置状態が異なる。すなわち、本実施形態に係る記録装置１０Ａでは、気流付与部６０と撮像部５０とが−Ｙ方向に沿って順に配置される。実施形態１に係る記録装置１０では、気流付与部６０と撮像部５０とが＋Ｘ方向に沿って順に配置される。この点が、本実施形態に係る記録装置１０Ａと、実施形態１に係る記録装置１０との主な相違点である。
以下、図７及び図８を参照し、本実施形態に係る記録装置１０Ａの概要を、実施形態１との相違点を中心に説明する。また、実施形態１と同一の構成部位については、同一の符号を附し、重複する説明を省略する。
【００５７】
図７及び図８に示すように、本実施形態に係る記録装置１０Ａでは、気流付与部６０と撮像部５０とが−Ｙ方向に沿って順に配置され、気流付与部６０と記録ヘッド４０とが＋Ｘ方向に沿って順に配置される。すなわち、本実施形態に係る記録装置１０Ａは、気流付与部６０が記録ヘッド４０に対してキャリッジ４６が移動する走査方向Ｘに配置される構成を有する。
一方、実施形態１に係る記録装置１０では、気流付与部６０と撮像部５０と記録ヘッド４０とが＋Ｘ方向に沿って順に配置されている（図２参照）。
【００５８】
本実施形態では、気流付与部６０は、排出口６３ａと排気ファン６３とダクト６２と吸込み口６２ａとが−Ｙ方向に沿って順に配置される。すなわち、吸込み口６２ａがＹ方向に向いている。排気ファン６３が駆動すると、シャッター７０の面７０ａの近くの気体が、ダクト６２の吸込み口６２ａから吸い込まれ、排気ファン６３の排出口６３ａから排出され、シャッター７０の面７０ａに沿った気流が発生する。図７に矢印で示されるように、シャッター７０の面７０ａに沿った気流の向きは、＋Ｙ方向、すなわち走査方向Ｘと直交する方向である。このように、本実施形態では、気流付与部６０は、走査方向Ｘと直交する方向に気流を付与する。
一方、実施形態１では、気流付与部６０は、排出口６３ａと排気ファン６３とダクト６２と吸込み口６２ａとが＋Ｘ方向に沿って順に配置される（図２参照）。すなわち、吸込み口６２ａが記録ヘッド４０に向いている。排気ファン６３が駆動すると、シャッター７０の面７０ａに沿った気流が発生する。シャッター７０の面７０ａに沿った気流の向きは、走査方向Ｘのうち−Ｘ方向である。
このように、本実施形態では、気流付与部６０が走査方向Ｘと直交する方向の気流を付与し、実施形態１では、気流付与部６０が走査方向Ｘの気流を付与する。
【００５９】
実施形態１では、気流付与部６０が走査方向Ｘの気流を付与し、記録ヘッド４０が気流付与部６０に対して走査方向Ｘのうち＋Ｘ方向に配置されている。すなわち、気流付与部６０が走査方向Ｘに付与した気流の中に記録ヘッド４０が配置される。これにより、排気ファン６３を駆動することによって生じる走査方向Ｘの気流が速くなりすぎると、記録ヘッド４０の周辺の気流が変化し、記録ヘッド４０から吐出される液滴の着弾位置が変化するそれがある。
従って、記録ヘッド４０における単位時間当たりの液滴の吐出量が増加し、気流付与部６０によって付与される気流の流速を速くし、ミストがシャッター７０の面７０ａやシャッター７０が摺動する部分５５２Ｂに付着しにくくする場合、記録ヘッド４０から吐出される液滴の着弾位置が変化しない範囲で、気流付与部６０によって付与される気流の流速を速くする必要があった。すなわち、気流付与部６０によって付与される気流の流速に上限があった。
【００６０】
本実施形態では、気流付与部６０が走査方向Ｘと直交する方向の気流を付与し、記録ヘッド４０が気流付与部６０に対して走査方向Ｘのうち＋Ｘ方向に配置されている。すなわち、気流付与部６０が走査方向Ｘと直交する方向に付与した気流の中に記録ヘッド４０が配置されない。これにより、排気ファン６３を駆動することによって生じる走査方向Ｘの気流が速くなりすぎても、記録ヘッド４０の周辺の気流が変化しにくく、記録ヘッド４０から吐出される液滴の着弾位置が変化しにくい。
このため、記録ヘッド４０における単位時間当たりの液滴の吐出量が増加し、気流付与部６０によって付与される気流の流速を速くし、ミストがシャッター７０の面７０ａやシャッター７０が摺動する部分５５２Ｂに付着しにくくする場合、記録ヘッド４０から吐出される液滴の着弾位置が変化しにくいので、実施形態１と比べて、気流付与部６０によって付与される気流の流速を速くすることができる。
本実施形態は、実施形態１と比べて、気流付与部６０によって付与される気流の流速を速くすることができるので、記録ヘッド４０における単位時間当たりの液滴の吐出量が増加する場合に、確実に、ミストがシャッター７０の面７０ａやシャッター７０が摺動する部分５５２Ｂに付着しにくくすることができる。
【００６１】
以下に、実施形態から導き出される内容を記載する。
【００６２】
本願の記録装置は、気流付与部と、メディアに液滴を吐出可能な記録ヘッドと、前記メディアの表面を撮像可能であり、集光レンズを有する撮像部と、前記気流付与部と前記記録ヘッドと前記撮像部とが搭載されるキャリッジと、前記メディアを支持可能な支持面を有する支持部と、を備え、前記撮像部は、前記集光レンズが前記支持面に対して遮蔽される遮蔽状態と、前記集光レンズが前記支持面に対して露出される露出状態とに切り替え可能なシャッターを含み、前記気流付与部は、前記シャッターのうち前記支持面に対向する部分に沿った気流を付与することを特徴とする。
【００６３】
撮像部の撮像素子や集光レンズへの光の入射は、シャッターにより制御される。その結果、シャッターによって、撮像部がメディアの表面を撮像可能な露出状態と、撮像部がメディアの表面を撮像しない遮蔽状態とに切り替えられる。
記録ヘッドがメディアに液滴を吐出すると、記録ヘッドから吐出される液滴の一部はミストになり、気中を浮遊する。撮像部が遮蔽状態にある場合、撮像素子や集光レンズはキャリッジとシャッターとによって保護され、気中を浮遊するミストによって汚染されにくくなる。ところが、シャッターのうち支持面に対向する部分は、キャリッジの外側に配置され、気中に晒され、気中のミストが付着するおそれがある。
仮に、シャッターのうち支持面に対向する部分にミストが付着すると、シャッターのうち支持面に対向する部分に付着したミストが、メディアに転写され、メディアが汚染され、メディアに形成される画像の品質が悪くなるおそれがある。
【００６４】
本願の記録装置では、気流付与部が、シャッターのうち支持面に対向する部分に沿った気流を付与するので、気中に浮遊するミストは、当該気流によって運ばれ、シャッターのうち支持面に対向する部分に付着しにくくなる。同様に、気中に浮遊する異物は、当該気流によってシャッターの外側に運ばれ、シャッターのうち支持面に対向する部分に付着しにくくなる。
従って、シャッターのうち支持面に対向する部分が、キャリッジの外側に配置される場合であっても、気流付与部がシャッターのうち支持面に対向する部分に沿った気流を付与すると、当該気流によって、気中のミストや異物がシャッターのうち支持面に対向する部分に付着しにくくなる。さらに、シャッターのうち支持面に対向する部分に付着したミストが、メディアに転写され、メディアが汚染されるという不具合が防止され、記録装置は安定して高品質の画像を形成することができる。
【００６５】
本願の記録装置では、前記撮像部は、前記シャッターをスライド可能に保持するシャッター保持部材を含み、前記気流付与部は、前記シャッター保持部材を通る気流を付与することが好ましい。
【００６６】
シャッター保持部材を通る気流が、シャッターのうち支持面に対向する部分に到達すると、シャッターのうち支持面に対向する部分に沿った気流になる。すると、気中のミストや異物は、当該気流によってシャッターの外側に運ばれ、シャッターのうち支持面に対向する部分に付着しにくくなる。さらに、シャッターのうち支持面に対向する部分に付着したミストが、メディアに転写され、メディアが汚染されるという不具合が防止され、記録装置は安定して高品質の画像を形成することができる。
【００６７】
本願の記録装置では、前記気流付与部は、気流を発生させる気流発生部を含み、前記記録ヘッドにおける単位時間当たりの前記液滴の吐出量が増加するに従って、前記気流発生部の駆動量を増加させる制御部を備えることが好ましい。
【００６８】
記録ヘッドにおける単位時間当たりの液滴の吐出量が増加すると、気中に浮遊するミストの量が多くなる。気中に浮遊するミストの量が多くなると、気中に浮遊するミストの量が少ない場合と比べて、ミストがシャッターのうち支持面に対向する部分に付着しやすくなる。
本願の記録装置では、制御部が、記録ヘッドにおける単位時間当たりの液滴の吐出量が増加するに従って、気流発生部の駆動量を増加させ、シャッターのうち支持面に対向する部分に沿った気流の流速を速くする。気流の流速が速くなると、気流の流速が遅い場合と比べて、気中のミストは、シャッターの外側に運ばれやすくなる。
従って、記録ヘッドにおける単位時間当たりの液滴の吐出量が増加し、気中に浮遊するミストの量が多くなる場合であっても、気流発生部の駆動量を増加させ、気流の流速を速くすると、気中のミストは、シャッターの外側に運ばれ、シャッターのうち支持面に対向する部分に付着しにくくなる。
【００６９】
本願の記録装置では、前記気流付与部は、前記記録ヘッドに対して前記キャリッジが移動する走査方向に配置され、前記走査方向と直交する方向に気流を付与することが好ましい。
【００７０】
例えば、記録ヘッドが気流付与部に対して走査方向と直交する方向に配置され、気流付与部が走査方向と直交する方向の気流を付与すると、気流付与部によって付与される走査方向と直交する方向の気流は、記録ヘッドに悪影響を及ぼすおそれがある。詳しくは、記録ヘッドから吐出される液滴の着弾位置が、気流付与部によって付与される走査方向と直交する方向の気流によって変化し、メディアに形成される画像の品質が悪くなるおそれがある。
本願の記録装置では、記録ヘッドが気流付与部に対して走査方向に配置され、気流付与部が走査方向と直交する方向の気流を付与するので、気流付与部によって付与される走査方向と直交する方向の気流は、記録ヘッドに悪影響を及ぼしにくくなる。詳しくは、記録ヘッドから吐出される液滴の着弾位置が、気流付与部によって付与される走査方向と直交する方向の気流によって変化しにくくなり、メディアに形成される画像の品質低下が生じにくくなる。
【００７１】
本願の記録装置では、前記気流付与部は、ダクトを備え、前記シャッターは、前記露出状態において前記ダクトの中に収納されることが好ましい。
【００７２】
気流付与部がダクトを備えると、ダクトによって気流の向きが制御されるので、気流付与部は、シャッターのうち支持面に対向する部分に沿った気流を付与しやすくなる。
さらに、シャッターが露出状態においてダクトの中に収納されると、シャッターが露出状態においてダクトの中に収納されない場合と比べて、気流付与部及び撮像部をコンパクトに配置することができ、省スペース化が実現される。
【００７３】
本願の記録装置では、前記シャッター保持部材は、前記シャッターと前記支持面との間に、前記シャッターを支持するシャッター支持部を有し、前記シャッター支持部は、前記露出状態において前記集光レンズが露出される開口を構成し、前記シャッターには、前記支持面側に突出するリブが、前記シャッター支持部と前記シャッターとが摺動する部分の近くに設けられ、前記リブは前記開口の内側に配置されることが好ましい。
【００７４】
気中に浮遊するミストが、シャッター支持部とシャッターとが摺動する部分に付着すると、シャッターがスライドしにくくなる。
本願の記録装置では、支持面側に突出するリブが、シャッター支持部とシャッターとが摺動する部分の近くに設けられているので、気中に浮遊するミストは、当該リブによって遮られ、シャッター支持部とシャッターとが摺動する部分に付着しにくくなる。従って、シャッターが安定してスライドするようになる。
【符号の説明】
【００７５】
４…記録部、８…制御部、１０…記録装置、１１…脚部、１２…筐体部、１３…給送口、１５…排出口、１７…操作部、２０…セット部、２２…媒体支持部、２５…巻取部、３０…搬送部、４０…記録ヘッド、４１…ダミーヘッド、４３…ノズル、４５…プラテン、４５ａ…支持面、４６…キャリッジ、４７…ガイド軸、５０…撮像部、５１…筐体、５２…集光レンズ、５３…撮像素子、５４…光源、５５…シャッター保持部材、５５１…第１部材、５５２…第２部材、５５３…第３部材、５５２Ａ…第３部材から張り出した部分、５５２Ｂ…シャッターが摺動する部分、５８…開口、５９…ヘッド装着部、６０…気流付与部、６２…ダクト、６２ａ…吸い込み口、６３…排気ファン、６３ａ…排出口、７０…シャッター、７０ａ…面、７１…リブ。
【図１】
2020069642.tif 000003
【図２】
2020069642.tif 000004
【図３】
2020069642.tif 000005
【図４】
2020069642.tif 000006
【図５】
2020069642.tif 000007
【図６】
2020069642.tif 000008
【図７】
2020069642.tif 000009
【図８】
2020069642.tif 000010